(57)【要約】  紙幣処理装置（１００）は、取込口（２４）と、取込口（２４）から取り込まれた紙幣を搬送する前段搬送部（７）及び後段搬送部（８）と、紙幣を識別する識別部（３）と、識別部（３）により結束対象と識別された紙幣を集積する結束スタッカ（４）と、識別部（３）により結束対象ではないと識別された紙幣を集積する非結束スタッカ（５）と、結束スタッカ（４）に集積された紙幣を結束する結束部（９）と、結束部（９）により結束された紙幣束を投出する投出口（１０１）とを備えている。結束スタッカ（４）は、２つだけ設けられ、非結束スタッカ（５）は、２つだけ設けられている。
2014148000.tif 000002
【特許請求の範囲】
【請求項１】
紙幣を１枚ずつ取り込む取込口と、
前記取込口から取り込まれた紙幣を搬送する搬送部と、
前記取込口から取り込まれた紙幣を識別する識別部と、
前記識別部により結束対象と識別された紙幣を集積する第１集積部と、
前記識別部により結束対象ではないと識別された紙幣を集積する第２集積部と、
前記第１集積部に集積された紙幣を結束する結束部と、
前記結束部により結束された紙幣束を投出する投出口とを備え、
前記第１集積部は、２つだけ設けられ、
前記第２集積部は、２つだけ設けられている紙幣処理装置。
【請求項２】
請求項１に記載の紙幣処理装置において、
２つの前記第１集積部の一方は、前記識別部により所定の第１金種であると識別された紙幣を集積するものであり、
２つの前記第１集積部の他方は、前記識別部により所定の第２金種であると識別された紙幣を集積するものである紙幣処理装置。
【請求項３】
請求項１に記載の紙幣処理装置において、
２つの前記第１集積部は両方とも、前記識別部により所定の金種であると識別された紙幣を集積するものであり、
２つの前記第２集積部の一方は、前記識別部により前記所定の金種以外の金種であると識別された紙幣を集積するものである紙幣処理装置。
【請求項４】
請求項１に記載の紙幣処理装置において、
前記識別部は、紙幣を正損に関して第１レベル及び第２レベルの２種類に識別し、
２つの前記第１集積部は両方とも、前記識別部により所定の金種であって且つ前記第１レベルであると識別された紙幣を集積するものであり、
２つの前記第２集積部の一方は、前記識別部により前記所定の金種であって且つ前記第２レベルであると識別された紙幣を集積するものであり、
２つの前記第２集積部の他方は、前記識別部により前記所定の金種以外の金種であると識別された紙幣を集積するものである紙幣処理装置。
【請求項５】
請求項４に記載の紙幣処理装置において、
２つの前記第１集積部の一方は、前記識別部により前記所定の金種であって且つ前記第１レベルであると識別された紙幣のうち表面が上向きの紙幣を集積するものであり、
２つの前記第１集積部の他方は、前記識別部により前記所定の金種であって且つ前記第１レベルであると識別された紙幣のうち裏面が上向きの紙幣を集積するものである紙幣処理装置。
【請求項６】
請求項１に記載の紙幣処理装置において、
前記識別部は、紙幣を正損に関して第１レベル、第２レベル及び第３レベルの３種類に識別し、
２つの前記第１集積部の一方は、前記識別部により所定の金種であって且つ前記第１レベルであると識別された紙幣を集積するものであり、
２つの前記第１集積部の他方は、前記識別部により前記所定の金種であって且つ前記第２レベルであると識別された紙幣を集積するものであり、
２つの前記第２集積部の一方は、前記識別部により前記所定の金種であって且つ前記第３レベルであると識別された紙幣を集積するものである紙幣処理装置。
【請求項７】
請求項１に記載の紙幣処理装置において、
２つの前記第１集積部は両方とも、前記識別部により所定の金種であって且つ表面及び裏面の一方が上を向いていると識別された紙幣を集積するものであり、
２つの前記第２集積部の一方は、前記識別部により前記所定の金種であって且つ表面及び裏面の他方が上を向いていると識別された紙幣を集積するものであり、
２つの前記第２集積部の他方は、前記識別部により前記所定の金種以外の金種であると識別された紙幣を集積するものである紙幣処理装置。
【請求項８】
請求項７に記載の紙幣処理装置において、
２つの前記第１集積部の一方は、前記識別部により前記所定の金種であって且つ表面及び裏面の一方が上を向いていると識別された紙幣のうち紙幣の印刷の向きが所定の方向を向いていると識別された紙幣を集積するものであり、
２つの前記第１集積部の他方は、前記識別部により前記所定の金種であって且つ表面及び裏面の一方が上を向いていると識別された紙幣のうち紙幣の印刷の向きが前記所定の方向と反対方向を向いていると識別された紙幣を集積するものである紙幣処理装置。
【請求項９】
請求項１に記載の紙幣処理装置において、
２つの前記第１集積部は両方とも、前記識別部により所定の金種であって且つ表面及び裏面の一方が上を向いていると識別された紙幣のうち紙幣の印刷の向きが所定の方向を向いていると識別された紙幣を集積するものであり、
２つの前記第２集積部の一方は、前記識別部により前記所定の金種であって且つ表面及び裏面の一方が上を向いていると識別された紙幣のうち紙幣の印刷の向きが前記所定の方向と反対方向を向いていると識別された紙幣を集積するものであり、
２つの前記第２集積部の他方は、前記識別部により前記所定の金種であって且つ表面及び裏面の他方が上を向いていると識別された紙幣、又は前記識別部により前記所定の金種以外の金種であると識別された紙幣を集積するものである紙幣処理装置。
【請求項１０】
請求項１に記載の紙幣処理装置において、
２つの前記第１集積部は両方とも、前記識別部により所定の金種であって且つ新券及び旧券の一方であると識別された紙幣を集積するものであり、
２つの前記第２集積部の一方は、前記識別部により前記所定の金種であって且つ新券及び旧券の他方であると識別された紙幣を集積するものであり、
２つの前記第２集積部の他方は、前記識別部により前記所定の金種以外の金種であると識別された紙幣を集積するものである紙幣処理装置。
【請求項１１】
請求項１０に記載の紙幣処理装置において、
前記識別部は、紙幣を正損に関して第１レベル及び第２レベルの２種類に識別し、
２つの前記第１集積部の一方は、前記識別部により前記所定の金種であって且つ新券及び旧券の一方であると識別された紙幣のうち前記第１レベルであると識別された紙幣を集積するものであり、
２つの前記第１集積部の他方は、前記識別部により前記所定の金種であって且つ新券及び旧券の一方であると識別された紙幣のうち前記第２レベルであると識別された紙幣を集積するものである紙幣処理装置。
【請求項１２】
請求項１０に記載の紙幣処理装置において、
２つの前記第１集積部の一方は、前記識別部により前記所定の金種であって且つ新券及び旧券の一方であると識別された紙幣のうち表面が上向きの紙幣を集積するものであり、
２つの前記第１集積部の他方は、前記識別部により前記所定の金種であって且つ新券及び旧券の一方であると識別された紙幣のうち裏面が上向きの紙幣を集積するものである紙幣処理装置。
【請求項１３】
請求項１に記載の紙幣処理装置において、
前記識別部は、紙幣を正損に関して第１レベル、第２レベル及び第３レベルの３種類に識別し、
２つの前記第１集積部の一方は、前記識別部により所定の金種であって且つ新券及び旧券の一方であると識別された紙幣のうち前記第１レベルであると識別された紙幣を集積するものであり、
２つの前記第１集積部の他方は、前記識別部により前記所定の金種であって且つ新券及び旧券の一方であると識別された紙幣のうち前記第２レベルであると識別された紙幣を集積するものであり、
２つの前記第２集積部の一方は、前記識別部により前記所定の金種であって且つ新券及び旧券の一方であると識別された紙幣のうち前記第３レベルであると識別された紙幣を集積するものである紙幣処理装置。
【請求項１４】
請求項１乃至１３の何れか１つに記載の紙幣処理装置において、
前記第１及び第２集積部の場所と、該第１及び第２集積部に集積される紙幣の情報とを表示する表示部をさらに備える紙幣処理装置。
【請求項１５】
請求項１乃至１３の何れか１つに記載の紙幣処理装置において、
前記第１及び第２集積部には、集積された紙幣を外部に取り出すための取出口が設けられ、
前記第１集積部の取出口には、該第１集積部ごとに個別に開閉可能な開閉部が設けられ、
前記第２集積部の取出口は、開閉部が設けられておらず、開放されている紙幣処理装置。
【請求項１６】
請求項１乃至１３の何れか１つに記載の紙幣処理装置において、
前記識別部によりリジェクトすべきと識別された紙幣を集積するリジェクト集積部をさらに備える紙幣処理装置。
【発明の詳細な説明】
【技術分野】
【０００１】
ここに開示された技術は、バラ状態の紙幣を取り込み、結束して投出する紙幣処理装置に関するものである。
【背景技術】
【０００２】
特許文献１には、バラ状態の紙幣を取り込み、結束して投出する紙幣処理装置が開示されている。この紙幣処理装置は、床面上に設置される。そして、紙幣処理装置の上部に、バラ状態の紙幣を載置する載置部が設けられている。載置部に載置された紙幣は、繰込み手段により装置内部へ取り込まれる。装置内部では、取り込まれた紙幣が識別され、結束対象の紙幣は結束部へ搬送され、結束対象外の紙幣は装置上部の排出部へ搬送される。結束対象の紙幣は、結束部において結束帯により結束され、回収ケースへ投出される。回収ケースは、装置下部に設けられており、装置から引き出し可能に構成されている。【０００３】
また、特許文献１に記載の紙幣処理装置では、結束対象の紙幣を集積する集積部が２つ設けられ、結束対象でない紙幣を集積する集積部が３つ設けられ、リジェクト紙幣を集積する集積部が１つ設けられている。紙幣処理装置に取り込まれた紙幣は、これらの集積部に分類されて集積される。
【先行技術文献】
【特許文献】
【０００４】
【特許文献１】実用新案登録第２５９７７５２号公報
【発明の概要】
【発明が解決しようとする課題】
【０００５】
ところで、紙幣処理装置の使用状況によっては、紙幣処理装置を卓上に載置して使用したいという要望がある。しかしながら、前記紙幣処理装置は、床置きを前提としており、卓上で使用するには不向きである。卓上で使用するためには、紙幣処理装置はコンパクトであることが好ましい。紙幣処理装置をコンパクトに構成するためには、集積部の個数が制限される。集積部の個数が少なくなると、紙幣を効率良く処理することが難しくなる。【０００６】
ここに開示された技術は、かかる点に鑑みてなされたものであり、その目的とするところは、集積部の個数が制限された中で、紙幣を効率良く処理できる紙幣処理装置を提供することにある。
【課題を解決するための手段】
【０００７】
ここに開示された技術は、紙幣処理装置を対象としている。この紙幣処理装置は、紙幣を１枚ずつ取り込む取込口と、前記取込口から取り込まれた紙幣を搬送する搬送部と、前記取込口から取り込まれた紙幣を識別する識別部と、前記識別部により結束対象と識別された紙幣を集積する第１集積部と、前記識別部により結束対象ではないと識別された紙幣を集積する第２集積部と、前記第１集積部に集積された紙幣を結束する結束部と、前記結束部により結束された紙幣束を投出する投出口とを備え、前記第１集積部は、２つだけ設けられ、前記第２集積部は、２つだけ設けられているものとする。【０００８】
前記の構成によれば、第１集積部が２つだけ設けられ、第２集積部が２つだけ設けられているので、第１集積部及び第２集積部の個数が制限され、紙幣処理装置をコンパクトに構成することができる。また、第１集積部が２つ設けられているので、結束対象の紙幣をまず一方の第１集積部に集積し、紙幣が所定枚数に達すると、該紙幣の結束処理を開始すると共に、他方の第１集積部を用いて結束対象の紙幣の集積を継続し、他方の第１集積部の紙幣が所定枚数に達すると、該紙幣の結束処理を開始するという連続結束処理を行うことができる。あるいは、第１集積部が２つ設けられているので、結束対象の紙幣をさらに２つに分類して集積することができる。さらに、第２集積部が２つ設けられているので、結束対象でない紙幣についても、さらに２つに分類して集積することができる。このように、紙幣を効率良く処理することができる。【０００９】
例えば、２つの前記第１集積部の一方は、前記識別部により所定の第１金種であると識別された紙幣を集積するものであり、２つの前記第１集積部の他方は、前記識別部により所定の第２金種であると識別された紙幣を集積するものであってもよい。【００１０】
この構成によれば、２つの金種の紙幣を分類して集積し、結束することができる。【００１１】
また、２つの前記第１集積部は両方とも、前記識別部により所定の金種であると識別された紙幣を集積するものであり、２つの前記第２集積部の一方は、前記識別部により前記所定の金種以外の金種であると識別された紙幣を集積するものであってもよい。【００１２】
前記の構成によれば、結束対象か否かを金種に基づいて判定する。そして、第１集積部には、所定の金種の紙幣が集積される。第１集積部では、このような紙幣を連続結束処理することもできるし、このような紙幣をさらに２種類に分類して集積及び結束することもできる。一方、第２集積部の少なくとも一方は、所定の金種以外の金種の紙幣が集積される。【００１３】
また、前記識別部は、紙幣を正損に関して第１レベル及び第２レベルの２種類に識別し、２つの前記第１集積部は両方とも、前記識別部により所定の金種であって且つ前記第１レベルであると識別された紙幣を集積するものであり、２つの前記第２集積部の一方は、前記識別部により前記所定の金種であって且つ前記第２レベルであると識別された紙幣を集積するものであってもよい。【００１４】
前記の構成によれば、２つの第１集積部には、所定の金種であって正損が第１レベルの紙幣が集積される。そのため、このような紙幣を連続結束処理することもできるし、このような紙幣をさらに２種類に分類して集積及び結束することもできる。また、２つの第２集積部の一方には、所定の金種であって且つ正損が第２レベルの紙幣が集積される。そのため、２つの第２集積部の他方には、それ以外の分類の紙幣を集積することができる。【００１５】
所定の金種であって正損が第１レベルの紙幣を２つの第１集積部においてさらに２種類に分類する態様としては、２つの前記第１集積部の一方は、前記識別部により前記所定の金種であって且つ前記第１レベルであると識別された紙幣のうち表面が上向きの紙幣を集積するものであり、２つの前記第１集積部の他方は、前記識別部により前記所定の金種であって且つ前記第１レベルであると識別された紙幣のうち裏面が上向きの紙幣を集積するものであってもよい。【００１６】
前記の構成によれば、所定の金種であって正損が第１レベルの紙幣を表面が上向きか裏面が上向きかでさらに分類して集積及び結束することができる。【００１７】
また、前記識別部は、紙幣を正損に関して第１レベル、第２レベル及び第３レベルの３種類に識別し、２つの前記第１集積部の一方は、前記識別部により所定の金種であって且つ前記第１レベルであると識別された紙幣を集積するものであり、２つの前記第１集積部の他方は、前記識別部により前記所定の金種であって且つ前記第２レベルであると識別された紙幣を集積するものであり、２つの前記第２集積部の一方は、前記識別部により前記所定の金種であって且つ前記第３レベルであると識別された紙幣を集積するものであってもよい。【００１８】
前記の構成によれば、所定の金種の紙幣を正損に関して３種類に分類し、そのうちの２種類を第１集積部のそれぞれに集積し、残りの１種類を第２集積部に集積することができる。【００１９】
また、２つの前記第１集積部は両方とも、前記識別部により所定の金種であって且つ表面及び裏面の一方が上を向いていると識別された紙幣を集積するものであり、２つの前記第２集積部の一方は、前記識別部により前記所定の金種であって且つ表面及び裏面の他方が上を向いていると識別された紙幣を集積するものであり、２つの前記第２集積部の他方は、前記識別部により前記所定の金種以外の金種であると識別された紙幣を集積するものであってもよい。【００２０】
前記の構成によれば、第１集積部には、所定の金種であって且つ表面及び裏面の一方が上を向いている紙幣が集積される。第１集積部では、このような紙幣を連続結束処理することもできるし、このような紙幣をさらに２種類に分類して集積及び結束することもできる。そして、第１集積部に集積されない紙幣は、さらに分類されて２つの第２集積部に集積される。具体的には、所定の金種であって且つ表面及び裏面の他方が上を向いている紙幣が第２集積部の一方に集積され、所定の金種以外の金種の紙幣が第２集積部の他方に集積される。【００２１】
所定の金種であって且つ表面及び裏面の一方が上を向いている紙幣を２つの第１集積部においてさらに２種類に分類する態様としては、２つの前記第１集積部の一方は、前記識別部により前記所定の金種であって且つ表面及び裏面の一方が上を向いていると識別された紙幣のうち紙幣の印刷の向きが所定の方向を向いていると識別された紙幣を集積するものであり、２つの前記第１集積部の他方は、前記識別部により前記所定の金種であって且つ表面及び裏面の一方が上を向いていると識別された紙幣のうち紙幣の印刷の向きが前記所定の方向と反対方向を向いていると識別された紙幣を集積するものであってもよい。【００２２】
前記の構成によれば、所定の金種であって且つ表面及び裏面の一方が上を向いている紙幣を印刷の向きが所定の方向を向いているか所定の方向と反対方向を向いているかでさらに分類して集積及び結束することができる。【００２３】
また、２つの前記第１集積部は両方とも、前記識別部により所定の金種であって且つ表面及び裏面の一方が上を向いていると識別された紙幣のうち紙幣の印刷の向きが所定の方向を向いていると識別された紙幣を集積するものであり、２つの前記第２集積部の一方は、前記識別部により前記所定の金種であって且つ表面及び裏面の一方が上を向いていると識別された紙幣のうち紙幣の印刷の向きが前記所定の方向と反対方向を向いていると識別された紙幣を集積するものであり、２つの前記第２集積部の他方は、前記識別部により前記所定の金種であって且つ表面及び裏面の他方が上を向いていると識別された紙幣、又は前記識別部により前記所定の金種以外の金種であると識別された紙幣を集積するものであってもよい。【００２４】
前記の構成によれば、２つの第１集積部に、所定の金種であって且つ表面及び裏面の一方が上を向いている紙幣のうち紙幣の印刷の向きが所定の方向を向いていると識別された紙幣が集積される。そのため、このような紙幣を連続結束処理することもできるし、このような紙幣をさらに２種類に分類して集積及び結束することもできる。そして、第１集積部に集積されない紙幣は、さらに分類されて２つの第２集積部に集積される。具体的には、所定の金種であって且つ表面及び裏面の一方が上を向いていると識別された紙幣のうち紙幣の印刷の向きが所定の方向と反対方向を向いている紙幣が第２集積部の一方に集積され、所定の金種であって且つ表面及び裏面の他方が上を向いている紙幣又は所定の金種以外の金種の紙幣が第２集積部の他方に集積される。【００２５】
また、２つの前記第１集積部は両方とも、前記識別部により所定の金種であって且つ新券及び旧券の一方であると識別された紙幣を集積するものであり、２つの前記第２集積部の一方は、前記識別部により前記所定の金種であって且つ新券及び旧券の他方であると識別された紙幣を集積するものであり、２つの前記第２集積部の他方は、前記識別部により前記所定の金種以外の金種であると識別された紙幣を集積するものであってもよい。【００２６】
前記の構成によれば、２つの第１集積部に、所定の金種であって且つ新券及び旧券の一方である紙幣が集積される。そのため、このような紙幣を連続結束処理することもできるし、このような紙幣をさらに２種類に分類して集積及び結束することもできる。そして、第１集積部に集積されない紙幣は、さらに分類されて２つの第２集積部に集積される。具体的には、所定の金種であって且つ新券及び旧券の他方である紙幣が第２集積部の一方に集積され、所定の金種以外の金種の紙幣が第２集積部の他方に集積される。【００２７】
所定の金種であって且つ新券及び旧券の一方である紙幣を２つの第１集積部においてさらに２種類に分類する態様としては、２つの前記第１集積部の一方は、前記識別部により前記所定の金種であって且つ新券及び旧券の一方であると識別された紙幣のうち前記第１レベルであると識別された紙幣を集積するものであり、２つの前記第１集積部の他方は、前記識別部により前記所定の金種であって且つ新券及び旧券の一方であると識別された紙幣のうち前記第２レベルであると識別された紙幣を集積するものであってもよい。【００２８】
前記の構成によれば、所定の金種であって且つ新券及び旧券の一方である紙幣を正損のレベルでさらに分類して集積及び結束することができる。【００２９】
さらに、所定の金種であって且つ新券及び旧券の一方である紙幣を２つの第１集積部においてさらに２種類に分類する態様としては、２つの前記第１集積部の一方は、前記識別部により前記所定の金種であって且つ新券及び旧券の一方であると識別された紙幣のうち表面が上向きの紙幣を集積するものであり、２つの前記第１集積部の他方は、前記識別部により前記所定の金種であって且つ新券及び旧券の一方であると識別された紙幣のうち裏面が上向きの紙幣を集積するものであってもよい。【００３０】
前記の構成によれば、所定の金種であって且つ新券及び旧券の一方である紙幣を表面が上向きか裏面が上向きかでさらに分類して集積及び結束することができる。【００３１】
また、２つの前記第１集積部の一方は、前記識別部により所定の金種であって且つ新券及び旧券の一方であると識別された紙幣のうち前記第１レベルであると識別された紙幣を集積するものであり、２つの前記第１集積部の他方は、前記識別部により前記所定の金種であって且つ新券及び旧券の一方であると識別された紙幣のうち前記第２レベルであると識別された紙幣を集積するものであり、２つの前記第２集積部の一方は、前記識別部により前記所定の金種であって且つ新券及び旧券の一方であると識別された紙幣のうち前記第３レベルであると識別された紙幣を集積するものであってもよい。【００３２】
前記の構成によれば、所定の金種であって且つ新券及び旧券の一方である紙幣を正損に関して３種類に分類し、そのうちの２種類を第１集積部にそれぞれ集積し、残りの１種類を第２集積部に集積することができる。【００３３】
また、紙幣処理装置は、前記第１及び第２集積部の場所と、該第１及び第２集積部に集積される紙幣の情報とを表示する表示部をさらに備えていてもよい。【００３４】
前記の構成によれば、紙幣処理装置において、どのような紙幣がどこに集積されているかを容易に把握することができる。【００３５】
また、前記第１及び第２集積部には、集積された紙幣を外部に取り出すための取出口が設けられ、前記第１集積部の取出口には、該第１集積部ごとに個別に開閉可能な開閉部が設けられ、前記第２集積部の取出口は、開閉部が設けられておらず、開放されているようにしてもよい。【００３６】
前記の構成によれば、第１及び第２集積部に集積された紙幣を取出口を介して取り出すことができる。また、第１集積部の取出口に開閉部を設けることによって、紙幣が取出口から不必要に飛び出すことを防止することができる。また、第２集積部の取出口には開閉部が設けられていないので、第２集積部に集積された紙幣を簡単に取り出すことができる。【００３７】
前記紙幣処理装置は、前記識別部によりリジェクトすべきと識別された紙幣を集積するリジェクト集積部をさらに備えていてもよい。【００３８】
前記の構成によれば、２つの第１集積部及び２つの第２集積部に加えて、リジェクト集積部が設けられる。つまり、さらにリジェクト紙幣を分類して集積することができる。
【発明の効果】
【００３９】
前記紙幣処理装置によれば、集積部の個数が制限された中で、紙幣を効率良く処理できる紙幣処理装置を提供することができる。
【図面の簡単な説明】
【００４０】
【図１】図１は、実施形態１に係る紙幣処理装置の外観図である。
【図２】図２は、紙幣処理装置の概略構成図である。
【図３】図３は、結束スタッカの一部を省略した平面図である。
【図４】図４は、紙幣処理装置の概略構成を示すブロック図である。
【図５】図５は、スタッカに集積する紙幣の組合せを示す表である。
【図６】図６は、タッチパネルの表示画面を示す。
【図７】図７は、実施形態２に係る紙幣処理装置の外観図である。
【図８】図８は、紙幣処理装置の概略構成図である。
【発明を実施するための形態】
【００４１】
以下、実施形態を図面に基づいて詳細に説明する。
【００４２】
《実施形態１》
〈紙幣処理装置の概略構成〉
図１は、紙幣処理装置１００の外観図を示し、図２は、紙幣処理装置１００の概略構成図を示す。
【００４３】
紙幣処理装置１００は、例えば銀行のテラーカウンタに設置され、オペレータによって使用される。紙幣処理装置１００は、バラ状態の紙幣を取り込み、所定の種類の紙幣を集積し、該紙幣を所定の結束枚数で結束して投出する。
【００４４】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する前段搬送部７と、結束スタッカ４に集積された紙幣を所定の位置まで搬送する後段搬送部８と、後段搬送部８により搬送された紙幣を結束する結束部９と、結束された紙幣（以下、「結束紙幣」という）を投出する投出部１０と、識別部３、結束スタッカ４、非結束スタッカ５、リジェクトスタッカ６、前段搬送部７、後段搬送部８及び結束部９を収容する箱状の筐体１１とを備えている。
【００４５】
筐体１１は、上面１１１と、下面１１２と４つの側面とを有している。筐体１１は、卓上型である。つまり、筐体１１の下面１１２には、キャスタ等が設けられておらず、卓上に設置される構造となっている。
【００４６】
筐体１１の４つの側面のうちの１つの側面である第１側面１１３には、ホッパ部２及び投出部１０が設けられている。４つの側面のうちの１つの側面である第２側面１１４には、詳しくは後述する結束スタッカ４の第１取出口４６及び非結束スタッカ５の第２取出口５３が設けられている。第１側面１１３と第２側面１１４とは、隣接している。
【００４７】
筐体１１の内部は、紙幣の識別及び分類に関する処理を行う第１処理部１１５と、結束対象の紙幣の結束に関する処理を行う第２処理部１１６とに別れている。第２処理部１１６は、第１処理部１１５の上方に設けられている。第１処理部１１５には、ホッパ部２、識別部３、非結束スタッカ５及びリジェクトスタッカ６が含まれる。第２処理部１１６には、結束スタッカ４、後段搬送部８及び結束部９が含まれる。前段搬送部７の大部分は、第１処理部１１５に含まれている。
【００４８】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。詳しくは後述するが、結束対象の紙幣として集積する紙幣は、適宜設定することができる。結束対象の紙幣は、所定の種類の紙幣である。所定の種類は、金種、正券か損券か、紙幣の表裏、紙幣の向き、新券か旧券かなどによって特定される。ここでは、結束対象の紙幣は、所定の金種（例えば、１００元）であって且つ正券の紙幣である。ここで、識別部３によって正常な紙幣として識別された紙幣を「正常紙幣」と、識別部３で正常な紙幣として識別されなかった紙幣を「異常紙幣」と、斜行や重送等により搬送状態が異常な紙幣を「搬送異常紙幣」と称する。例えば、正常な紙幣か否かを判断する条件の１つとしては、記番号が識別可能であるか否かが挙げられる。ただし、それとは異なる条件をもって正常な紙幣か否かを判断してもよいし、それに別の条件を加えて正常な紙幣か否かを判断してもよい。また、正常紙幣であっても搬送先（結束スタッカ、非結束スタッカ等）が指定されていない種類の紙幣を「指定外紙幣」と称する。「指定外紙幣」、「異常紙幣」及び「搬送異常紙幣」を併せて「リジェクト紙幣」と称する。また、正常紙幣のうち、汚れや破れ等が比較的少ない状態の紙幣を「正券」と、正常紙幣のうち、汚れや破れ等が比較的多い状態の紙幣を「損券」と称する。結束スタッカ４は、第１集積部の一例である。
【００４９】
第１及び第２結束スタッカ４Ａ，４Ｂは、第２処理部１１６内において上下方向に並んで配置されている。第１結束スタッカ４Ａは、第２結束スタッカ４Ｂの上方に位置している。第１結束スタッカ４Ａと第２結束スタッカ４Ｂとは、同様の構成をしている。２つのスタッカを区別しないときには、単に「結束スタッカ４」と称する。結束スタッカ４の詳細な構成については後述する。
【００５０】
非結束スタッカ５は、第１及び第２非結束スタッカ５Ａ，５Ｂの２つのスタッカを含んでいる。第１及び第２非結束スタッカ５Ａ，５Ｂは、第１処理部１１５内において実質的に水平方向に並んで配置されている。第２非結束スタッカ５Ｂの方が第１非結束スタッカ５Ａよりもホッパ部２に近い位置に配置されている。２つのスタッカを区別しないときには、単に「非結束スタッカ５」と称する。非結束スタッカ５の詳細な構成については後述するが、非結束スタッカ５に集積する紙幣は適宜設定することができる。ここでは、第１非結束スタッカ５Ａは、前記所定の金種であって且つ損券を集積する。第２非結束スタッカ５Ｂは、前記所定の金種以外の金種の紙幣を集積する。非結束スタッカ５は、第２集積部の一例である。
【００５１】
リジェクトスタッカ６は、リジェクト紙幣を集積する。リジェクトスタッカ６は、第１及び第２非結束スタッカ５Ａ，５Ｂよりもホッパ部２に近接している。リジェクトスタッカ６は、第１及び第２非結束スタッカ５Ａ，５Ｂよりも少し上方に位置している。リジェクトスタッカ６の詳細な構成については後述する。
【００５２】
ホッパ部２は、第１側面１１３のうち第１処理部１１５に対応する部分に設けられ、投出部１０は、第１側面１１３のうち第２処理部１１６に対応する部分に設けられている。詳しくは、第１側面１１３の上部と下部の２箇所に窪みが形成され、上部の窪みに投出部１０が設けられ、下部の窪みにホッパ部２が設けられている。投出部１０とホッパ部２との間には段差が形成されている。
【００５３】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。
【００５４】
取込口２４は、図１に示すように、載置台２１と第１側面１１３とが交わる隅部に形成されている。載置台２１は、取込口２４に近づくに従って下方に位置するように傾斜している。これにより、載置台２１上の紙幣は、自然と取込口２４の方へ向かうようになっている。載置台２１上に載置された紙幣は、取込口２４から筐体１１内へ取り込まれる。
【００５５】
また、紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。尚、後述する紙幣センサ４５、集積センサ５２、集積センサ６２、通過センサ７４、通過センサ１０３も同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００５６】
ガイド部２２，２２は、その間隔を調整可能に構成されている。つまり、ガイド部２２，２２の間隔は、載置台２１上に載置された紙幣に合わせて調整される。
【００５７】
取込ローラ２３は、キッカローラ２３ａと、フィードローラ２３ｂと、ゲートローラ２３ｃとを有している。キッカローラ２３ａは、部分的に載置台２１から露出しており、載置台２１上の紙幣のうち一番下の紙幣と接触している。キッカローラ２３ａは、載置台２１上に載置された紙幣のうち一番下の紙幣を取込口２４へ送り込む。こうして、紙幣が１枚ずつ取込口２４から取り込まれていく。取込口２４から送り込まれた紙幣は、フィードローラ２３ｂとゲートローラ２３ｃとで１枚ずつに分離されて、筐体１１内へ取り込まれる。取り込まれた紙幣は、前段搬送部７へ送られる。
【００５８】
投出部１０は、結束紙幣が投出される投出口１０１と、投出口１０１から投出された結束紙幣が載置されるステージ１０２と、結束紙幣の投出口１０１の通過を検知する通過センサ１０３とを有している。投出口１０１からは、結束紙幣が紙幣の短手方向に投出される。
【００５９】
ステージ１０２は、投出口１０１から離れるに従って上方に位置するように傾斜している。ステージ１０２は、上下に移動可能に構成されると共に、付勢バネ（図示省略）により上方に付勢されている。ステージ１０２は、結束紙幣が載置されていない状態においては、投出口１０１の直下に位置する。ステージ１０２上に結束紙幣が載置されると、ステージ１０２は、結束紙幣の重さによって下方に移動する。ステージ１０２は、少なくとも、ステージ１０２上の最も上の紙幣が投出口１０１より下方に位置する位置まで移動する。つまり、投出口１０１と同じ高さには結束紙幣が存在していない。そのため、投出口１０１から投出される結束紙幣は、先にステージ１０２上に載置された結束紙幣の上に順次載置されていく。通過センサ１０３は、紙幣センサ２５と同様の構成をしている。通過センサ１０３は、投出口１０１に設けられ、投出口１０１を通過する紙幣を検出する。
【００６０】
前段搬送部７は、搬送ベルト等で構成されている。前段搬送部７は、主搬送路７１と、主搬送路７１から分岐する４つの分岐路７２，７２，…と、主搬送路７１からの分岐箇所に設けられた振り分け機構７３と、紙幣の通過を検知する複数の通過センサ７４とを有している。前段搬送部７は、紙幣をその短手方向に搬送していく。前段搬送部７は、搬送部の一例である。
【００６１】
主搬送路７１は、取込ローラ２３から第１結束スタッカ４Ａまで延びている。４つの分岐路７２，７２，…は、それぞれを区別するときには、上流側から順に第１分岐路７２ａ、第２分岐路７２ｂ、第３分岐路７２ｃ、第４分岐路７２ｄと称する。第１分岐路７２ａは、リジェクトスタッカ６まで延びている。第２分岐路７２ｂは、第２非結束スタッカ５Ｂまで延びている。第３分岐路７２ｃは、第１非結束スタッカ５Ａまで延びている。第４分岐路７２ｄは、第２結束スタッカ４Ｂまで延びている。
【００６２】
振り分け機構７３は、ソレノイド（図示省略）によって駆動される。振り分け機構７３は、主搬送路７１を搬送された紙幣を分岐路７２へ導くか否かを振り分ける。各振り分け機構７３の上流側には、通過センサ７４が設けられている。通過センサ７４は、紙幣センサ２５と同様の構成をしている。つまり、通過センサ７４の受信部における光の受信が中断され、その後に光の受信が再開されたことをもって、紙幣の通過を検知することができる。振り分け機構７３は、紙幣を分岐路７２へ導く際には、その直上流の通過センサ７４が紙幣の通過を検知したことをもって作動する。
【００６３】
識別部３は、主搬送路７１のうち第１分岐路７２ａよりも上流側に設けられている。識別部３は、搬送される紙幣の一枚一枚について、その金種、真偽及び正損を識別するように構成されている。具体的には、識別部３は、ラインセンサ３１及び磁気センサ３２を有し、紙幣の特徴を取得する。識別部３は、紙幣の特徴が、記憶している各種紙幣の特徴と一致するかを判定し、金種、真偽、及び正損を識別する。
【００６４】
尚、識別部３は、紙幣の特徴を取得するためのセンサであれば、ラインセンサ及び磁気センサに限られず、赤外線センサ及び紫外線センサ等のセンサを有していてもよい。ラインセンサ３１は、紙幣に印字されている記番号を光学的に読み取る機能も有している。尚、識別部３におけるセンサ以外の機能を、後で述べる制御部１２０が行ってもよい。
【００６５】
後段搬送部８は、結束スタッカ４に集積された紙幣を把持して、該紙幣を結束が行われる所定の位置まで搬送する。後段搬送部８は、紙幣を把持する搬送ユニット８２と、搬送ユニット８２を水平方向に移動させる水平移動機構８３と、搬送ユニット８２を上下方向に移動させる上下移動機構８４と、搬送された紙幣が載置されるステージ８５と、ステージ８５上の結束紙幣を投出口１０１へ押し出す押出機構８６とを有している。後段搬送部８は、搬送部の一例である。
【００６６】
搬送ユニット８２は、上ハンド部８１ａと下ハンド部８１ｂとを含むハンド部８１と、上ハンド部８１ａを上下方向に移動させる移動機構８７とを有している。移動機構８７は、上ハンド部８１ａを上下方向に移動可能に支持すると共に、駆動モータ及び駆動ベルトによって上ハンド部８１ａを上下方向に移動させる。尚、下ハンド部８１ｂは、移動不能に固定されている。搬送ユニット８２は、上ハンド部８１ａを移動機構８７により上下方向に移動させることによって、上ハンド部８１ａと下ハンド部８１ｂとで紙幣を把持することができる。
【００６７】
水平移動機構８３は、搬送ユニット８２を水平方向であって、結束スタッカ４に近接又は離反する方向に移動可能に支持している。また、水平移動機構８３は、駆動モータ及び駆動ベルトによって搬送ユニット８２を水平方向に移動させる。
【００６８】
上下移動機構８４は、水平移動機構８３を上下方向に移動可能に支持するガイド軸８４ａと、水平移動機構８３をガイド軸８４ａに沿って駆動する駆動ベルト８４ｂとを有している。水平移動機構８３が上下に移動することによって、搬送ユニット８２も上下に移動する。
【００６９】
ステージ８５は、略水平に設けられており、一端部は投出口１０１に繋がっている。結束部９により紙幣を結束する際、該紙幣はステージ８５上に載置される。
【００７０】
押出機構８６は、ステージ８５上の結束紙幣を投出口１０１に向かって押し出すように構成されている。
【００７１】
結束部９は、ステージ８５上の紙幣を結束帯により結束する。具体的には、結束部９は、結束帯を収容する結束帯リール９１と、結束帯リール９１から引き出された結束帯の先端を把持する結束帯止め部９２と、結束帯止め部９２を紙幣周りに旋回させることで結束帯を紙幣に巻回する旋回アーム９３と、紙幣に巻回した結束帯の他端を切断するカッタ９４と、切断された結束帯の他端を熱溶着するヒータ９５とを有している。
【００７２】
筐体１１の第２側面１１４には、紙幣処理装置１００への情報を入力する操作部であり且つ紙幣処理装置１００の情報を表示する表示部であるタッチパネル１７が設けられている。詳しくは、タッチパネル１７は、第２非結束スタッカ５Ｂの第２取出口５３ｂの上方であって、第２結束スタッカ４Ｂの第１取出口４６の側方に設けられている。タッチパネル１７は、紙幣処理装置１００を操作するオペレータに対するヒューマンインターフェース部分である。タッチパネル１７は、表示部の一例である。
【００７３】
〈結束スタッカ４の詳細構成〉
図３は、結束スタッカ４の一部を省略した平面図である。
【００７４】
結束スタッカ４は、紙幣を積み重ねて集積する。結束スタッカ４は、紙幣を集積する容器４０と、容器４０内に配置され、紙幣が載置されるステージ４１と、搬送されてきた紙幣を容器４０へ搬入する羽根車４２（図２のみに図示）と、後述する第１取出口４６を開閉する扉４３（図１，３で図示）と、集積された紙幣の端部を揃える整列機構４４（図３のみに図示）と、容器４０内の紙幣を検知する紙幣センサ４５（図２のみに図示）とを有している。
【００７５】
容器４０は、紙幣の搬送方向における前側の前壁部４０ａが搬送方向において前後に移動可能に構成されている。前壁部４０ａは、結束対象に設定された紙幣に応じて、その位置が調整される。すなわち、容器４０の搬送方向の寸法が、紙幣の短手方向寸法に応じて調整される。具体的には、容器４０内に搬入される紙幣が前壁部４０ａに当たって、そのまま容器４０の底に落下していき、最終的に紙幣が前壁部４０ａに当接した状態で集積される位置に前壁部４０ａが配置される。また、前壁部４０ａは、上下に開閉するように構成されている。前壁部４０ａは、集積された紙幣を後段搬送部８により搬送する際に開いた状態となる。
【００７６】
また、容器４０は、筐体１１の第２側面１１４に開口している。つまり、第２側面１１４には、結束スタッカ４に集積された紙幣を筐体１１の外部に取り出すための第１取出口４６が設けられている。
【００７７】
扉４３は、結束スタッカ４ごとに個別に設けられている。扉４３は、第１取出口４６を開放する開状態と第１取出口４６を閉鎖する閉状態との間で所定の回転軸回りに回動自在に構成されている。扉４３は、外部から内部を目視可能な材料で構成されている。例えば、扉４３は、透明又は半透明な材料（例えば、ガラスや樹脂）で構成されている。扉４３は、開閉部の一例である。
【００７８】
扉４３は、手動で開閉される。ただし、扉４３には、ロック機構４７（図３にのみ図示）が設けられている。ロック機構４７は、扉４３を閉状態で拘束する拘束状態と、扉４３を開閉自在にする解除状態との間で切換可能に構成されている。具体的には、ロック機構４７は、筐体１１側に設けられたピン４７ａと、ピン４７ａを駆動するソレノイド等を含む駆動機構４７ｂと、扉４３に設けられ、ピン４７ａが係合する被係合部４７ｃとを有している。ロック機構４７は、後述する制御部１２０により、結束スタッカ４ごとに個別に制御される。
【００７９】
扉４３の内側には、紙幣の短辺が当接するストッパ４３ａ（図１では省略）が設けられている。ストッパ４３ａは、外部から内部を目視可能な材料で構成されている。例えば、ストッパ４３ａは、透明又は半透明な材料（例えば、ガラスや樹脂）で構成されている。
【００８０】
羽根車４２は、可撓性を有する複数の羽を有しており、容器４０内に落下する紙幣の、搬送方向後側の端部を叩いて、紙幣の落下を促進させる役割を有している。紙幣が容器４０内に連続的に搬入される場合であっても、後の紙幣が先の紙幣の後端部に入り込むことを防止し、紙幣を１枚ずつ順に上方に積み重ねていくことができる。
【００８１】
整列機構４４は、容器４０において、第１取出口４６とは反対側に設けられている。整列機構４４は、紙幣の搬送方向及び紙幣の集積方向の両方に直交する方向（以下、幅方向という）の紙幣の端部を揃える。本実施形態では、紙幣が短手方向に搬送されるので、幅方向は紙幣の長手方向に相当する。すなわち、整列機構４４は、紙幣の短辺を揃える。整列機構４４は、容器４０の第１取出口４６とは反対側の端部において紙幣の集積方向に延びる回転軸回りに回転自在に設けられたアーム４４ａと、アーム４４ａを回転させるステッピングモータ４４ｂとを有している。整列機構４４は、容器４０内に集積された紙幣の前記幅方向の一端部（即ち、一方の短辺）を該幅方向の扉４３側に向けてアーム４４ａにより押圧することによって紙幣の該幅方向の他端部（即ち、他方の短辺）をストッパ４３ａに当接させる。こうすることによって、容器４０内の紙幣は、ストッパ４３ａに当接した状態に整列させられる。
【００８２】
紙幣センサ４５は、１つの結束スタッカ４につき複数設けられている。本実施形態では、容器４０内において紙幣の搬送方向における異なる位置に２つの紙幣センサ４５が設けられている。各紙幣センサ４５は、容器４０内の紙幣の集積方向に光を送信するように配置されている。つまり、紙幣センサ４５は、光が遮断されることによって、容器４０内に紙幣が存在することを検知することができる。また、搬送方向の異なる位置に２つの紙幣センサ４５を設けることによって、容器４０内において搬送方向における紙幣の位置にばらつきがあったとしても、何れかの紙幣センサ４５により紙幣の存在を検知することができる。尚、紙幣センサ４５は、紙幣の搬送方向及び紙幣の厚み方向の両方に直交する方向（図２における紙面奥行き方向）における異なる位置に複数設けられていてもよい。
【００８３】
〈非結束スタッカ５の詳細構成〉
第１非結束スタッカ５Ａと第２非結束スタッカ５Ｂとは同じ構成であるので、以下では、両者を区別することなく、非結束スタッカ５として説明する。尚、非結束スタッカ５ごとに区別する場合には、第１非結束スタッカ５Ａの構成については符号の最後に「ａ」を、第２非結束スタッカ５Ｂの構成については符号の最後に「ｂ」を付す。
【００８４】
非結束スタッカ５は、紙幣を積み重ねて集積する。非結束スタッカ５は、紙幣を集積する容器５０と、搬送されてきた紙幣を容器５０内へ搬入する羽根車５１と、紙幣の有無を検知する集積センサ５２とを有している。
【００８５】
非結束スタッカ５の容器５０の底部は、傾斜している。これにより、容器５０へ搬入された紙幣は、底部の低い方の端部へ集まる。
【００８６】
集積センサ５２は、容器５０の底部の低い方の端部に設けられている。集積センサ５２は、紙幣センサ２５と同様の構成をしており、光が遮断されることによって容器５０内の紙幣を検知する。集積センサ５２は、容器５０内の紙幣により光が遮断されるように配置されている。
【００８７】
羽根車５１は、複数の羽を有しており、搬送されてきた紙幣を羽の間で保持して、容器５０内へ搬入する。紙幣は、容器５０の底部近傍において羽根車５１の羽から離脱し、容器５０内に集積される。
【００８８】
容器５０は、筐体１１の第２側面１１４に開口している。すなわち、第２側面１１４には、非結束スタッカ５に集積された紙幣を筐体１１の外部に取り出すための第２取出口５３が設けられている。第２取出口５３には、扉が設けられておらず、開放されている。第１非結束スタッカ５Ａの第２取出口５３ａと第２非結束スタッカ５Ｂの第２取出口５３ｂとは、第２側面１１４において水平方向に並んで開口している。
【００８９】
また、非結束スタッカ５には、集積された紙幣を第２取出口５３の方へ押し出すための押出機構５４が設けられている。押出機構５４は、容器５０の奥側（第２取出口５３と反対側）に設けられており、奥側から手前側（第２取出口５３の側）に紙幣を押し出すように構成されている。
【００９０】
〈リジェクトスタッカ６の詳細構成〉
リジェクトスタッカ６は、紙幣を積み重ねて集積する。リジェクトスタッカ６は、紙幣を集積する容器６０と、搬送されてきた紙幣を容器６０内へ搬入する羽根車６１と、紙幣の有無を検知する集積センサ６２と、容器６０内の紙幣が外部へ排出されることを防止するストッパ６４，６４とを有している。
【００９１】
詳しくは、リジェクトスタッカ６の容器６０は、筐体１１の第１側面１１３及び第２側面１１４に開口している。すなわち、第１側面１１３及び第２側面１１４には、リジェクトスタッカ６に集積された紙幣を筐体１１の外部に取り出すためのリジェクト取出口６３が設けられている。リジェクト取出口６３は、第１側面１１３において、取込口２４の上方であって、投出口１０１の下方に開口している。詳しくは、リジェクト取出口６３は、ホッパ部２と投出部１０との間の段差の直下に開口している。リジェクト取出口６３には、扉が設けられておらず、開放されている。
【００９２】
容器６０の底部は、第１側面１１３から離れるに従って下方に位置するように傾斜している。そのため、容器６０内の紙幣は、第１側面１１３から内側へ入り込んだ位置に集積されていく。これにより、容器６０内に搬入された紙幣が、そのまま第１側面１１３のリジェクト取出口６３から外部へ排出されることを防止することができる。
【００９３】
さらに、２つのストッパ６４，６４は、容器６０の底部のうち、第１側面１１３側の端縁に設けられている。ストッパ６４は、底部の第１側面１１３側の端縁と平行に延びる軸回りに回動自在に支持されると共に、付勢バネ（図示省略）で付勢されて、容器６０の底部に対して立ち上がった状態となっている。これらストッパ６４，６４によっても、容器６０内の紙幣が第１側面１１３のリジェクト取出口６３から外部へ排出されることを防止することができる。尚、リジェクトスタッカ６に集積された紙幣をリジェクト取出口６３から抜き出すときには、ストッパ６４，６４を付勢バネの弾性力に抗して倒すことによって、紙幣を抜き出すことができる。
【００９４】
羽根車６１は、可撓性を有する複数の羽を有しており、容器６０内に落下する紙幣の、搬送方向後側の端部を叩き落とす役割を有している。紙幣が容器６０内に連続的に搬入される場合であっても、後の紙幣が先の紙幣の後端部に入り込むことを防止し、紙幣を１枚ずつ順に上方に積み重ねていくことができる。
【００９５】
集積センサ６２は、紙幣センサ２５と同様の構成をしており、光が遮断されることによって容器６０内の紙幣を検知する。集積センサ６２は、容器６０内の紙幣により光が遮断されるように配置されている。
【００９６】
〈紙幣処理装置のシステム構成〉
図４は、紙幣処理装置１００の概略構成を示すブロック図である。
【００９７】
紙幣処理装置１００は、例えば周知のマイクロコンピュータをベースとした制御部１２０を備えている。制御部１２０には、前述したホッパ部２、識別部３、結束スタッカ４、非結束スタッカ５、リジェクトスタッカ６、前段搬送部７、後段搬送部８、結束部９、投出部１０及びタッチパネル１７が、信号の送受信可能に接続されている。また、制御部１２０には、紙幣センサ２５、紙幣センサ４５、集積センサ５２、集積センサ６２、通過センサ７４及び通過センサ１０３が接続され、それらの検出信号が入力されるように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。例えば、結束スタッカ４を例に挙げると、容器４０の前壁部４０ａ、ステージ４１、羽根車４２、扉４３のロック機構４７、及び整列機構４４のステッピングモータ４４ｂが制御部１２０により制御される。
【００９８】
〈紙幣処理装置の動作説明〉
以下、紙幣処理装置１００の入金処理について説明する。入金処理においては、バラ状態の紙幣が分類され、所定のスタッカに集積され、さらには、所定の紙幣については結束される。以下では、結束対象の所定の一種類の紙幣を第１及び第２結束スタッカ４Ａ，４Ｂに所定枚数ずつ交互に集積し、該所定枚数集積した紙幣を順次、結束部９により結束する同一種類結束処理について説明する。
【００９９】
紙幣処理装置１００は、テラーカウンタ上であって、オペレータがテラーカウンタを挟んで顧客と正対したときにオペレータの少し左側（顧客の右側）に設置される。このとき、紙幣処理装置１００は、筐体１１の第１側面１１３が顧客の方を向くように設置される。この状態においては、筐体１１の第２側面１１４は、オペレータの方を向いている。ただし、紙幣処理装置１００はオペレータの少し左側に位置するので、顧客も第２側面１１４を視認することができる。
【０１００】
まず、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【０１０１】
ホッパ部２に載置された紙幣は、取込ローラ２３が作動することにより１枚ずつ取込口２４から、筐体１１内へ取り込まれていく。取り込まれた紙幣は、前段搬送部７により搬送され、識別部３を通過する。識別部３は、通過する紙幣の紙幣種別を取得し、その紙幣種別を制御部１２０へ通知する。
【０１０２】
制御部１２０は、紙幣の種類に応じて、紙幣に対応する搬送先を決定する。具体的には、紙幣が結束対象の所定金種の紙幣であって且つ正券紙幣であるときには、制御部１２０は、搬送先を結束スタッカ４（４Ａ及び４Ｂの何れか一方）とする。紙幣が結束対象の所定金種の紙幣であって且つ損券紙幣であるときには、制御部１２０は、搬送先を第１非結束スタッカ５Ａとする。紙幣が所定金種以外の金種の紙幣であるときには、制御部１２０は、搬送先を第２非結束スタッカ５Ｂとする。紙幣がリジェクト紙幣であるときには、制御部１２０は、搬送先をリジェクトスタッカ６とする。
【０１０３】
制御部１２０は、紙幣が搬送先となるスタッカに搬送されるように前段搬送部７を制御する。具体的には、制御部１２０は、搬送先となるスタッカへ繋がる分岐路７２に対応する振り分け機構７３を該紙幣が主搬送路７１から該分岐路７２へ導かれるように制御する。制御部１２０は、該分岐路７２の直前の通過センサ７４が紙幣を検知したときに、該振り分け機構７３を切り替える。さらに、制御部１２０は、搬送先となるスタッカの羽根車４２、羽根車５１又は羽根車６１を制御して、紙幣をスタッカ内に搬入する。
【０１０４】
結束スタッカ４に搬送される紙幣は、２つの結束スタッカ４のうち一方の結束スタッカ４へ搬送される。一方の結束スタッカ４に集積された紙幣の枚数が所定の結束枚数（例えば、１００枚）に達すると、それ以降の紙幣は、他方の結束スタッカ４へ搬送される。ここでは、紙幣がまず第１結束スタッカ４Ａへ搬送されるものとする。
【０１０５】
第１結束スタッカ４Ａにおいては、紙幣が搬送されてくると、羽根車４２の回転によって、紙幣が１枚ずつ上方に重ねられていく。容器４０内に搬入された紙幣は前壁部４０ａに当接することによって、それぞれの長辺が揃った状態となる。
【０１０６】
第１結束スタッカ４Ａに集積された紙幣が結束枚数に達すると、制御部１２０は、整列機構４４を作動させて、紙幣の短辺を揃える。尚、制御部１２０は、容器４０内に紙幣が搬入される度に整列機構４４を作動させて、紙幣の短辺を揃えるようにしてもよい。次に、制御部１２０は、後段搬送部８を制御し、ハンド部８１により第１結束スタッカ４Ａ内の紙幣を把持し、該紙幣をステージ８５へ搬送する。その後、制御部１２０は、結束部９を制御して、ステージ８５上の紙幣を結束帯で結束する。
【０１０７】
尚、第１結束スタッカ４Ａに集積された紙幣が結束枚数に達すると、それ以降の紙幣は第２結束スタッカ４Ｂに集積される。その後、第２結束スタッカ４Ｂに集積された紙幣が結束枚数に達したときには、それ以降の紙幣は再び第１結束スタッカ４Ａに集積されるようになる。このときまでには、第１結束スタッカ４Ａ内の紙幣の結束処理が完了しているので、第１結束スタッカ４Ａ内は空の状態になっている。このように、２つの結束スタッカ４を設けることによって、紙幣の集積を連続して行いつつ、結束処理を行うことができる。
【０１０８】
続いて、制御部１２０は、押出機構８６によりステージ８５上の結束紙幣を押し出して、投出口１０１からステージ１０２上へ投出する。結束紙幣がステージ１０２へ投出されると、ステージ１０２は、結束紙幣の重さにより、投出口１０１の水平方向外側に結束紙幣が位置しない位置まで沈み込む。こうして、ステージ１０２は、次の結束紙幣の投出に備える。
【０１０９】
所定金種の紙幣であって且つ損券紙幣は、第１非結束スタッカ５Ａへ搬送される。第１非結束スタッカ５Ａにおいては、紙幣が搬送されてくると、羽根車５１ａの回転によって、紙幣を容器５０ａ内に積み重ねていく。こうして、所定金種の紙幣であって且つ損券紙幣は、第１非結束スタッカ５Ａに集積される。同様に、所定金種以外の金種の紙幣は、第２非結束スタッカ５Ｂへ搬送され、第２非結束スタッカ５Ｂに集積される。リジェクト紙幣も、リジェクトスタッカ６へ搬送され、リジェクトスタッカ６に集積される。
【０１１０】
以上の処理が、ホッパ部２に載置された紙幣が無くなるまで続けられる。ホッパ部２の紙幣の有無は、紙幣センサ２５によって検知される。
【０１１１】
ホッパ部２に載置された紙幣の処理が完了すると、リジェクト紙幣の取込及び識別を再度行う。つまり、オペレータは、リジェクト紙幣をリジェクトスタッカ６から抜き出して、ホッパ部２へ載置し、再び取込を行う。リジェクト紙幣は、何らかの理由で正常な紙幣として識別されなかった紙幣であるので、再び取込及び識別を試みる。それでも尚、リジェクト紙幣として識別される紙幣は、再びリジェクトスタッカ６に集積される。オペレータは、再び集積された紙幣を顧客に返却する。
【０１１２】
尚、第１及び第２非結束スタッカ５Ａ，５Ｂに集積された紙幣については、再度の取込を行わない。
【０１１３】
こうして、ホッパ部２に載置された紙幣の処理とリジェクト紙幣の再処理が完了すると、同一種類結束処理が完了し、顧客から渡された入金すべき紙幣の計数及び分別が終了する。タッチパネル１７には、計数された金額が表示される。オペレータは、顧客からその金額の承認を得るか、又は、その金額と顧客が記載した入金伝票に記載された金額との一致を確認すると、タッチパネル１７により入金額の確定操作を行う。確定操作が行われると、確定した入金額が上位装置（図示省略）へ通知され、入金処理が完了する。
【０１１４】
入金処理の完了後は、オペレータは、投出部１０に集積されている結束紙幣、結束スタッカ４に集積されている紙幣及び非結束スタッカ５に集積されている紙幣を取り出して所定の収納場所に収納する。
【０１１５】
以上の処理により、複数種類の紙幣が混在し且つバラ状態であった紙幣は、所定金種の正券紙幣と、所定金種の損券紙幣と、所定金種以外の金種の紙幣と、リジェクト紙幣とに分類され、所定金種の正券紙幣については結束枚数ごとに結束された状態となる。
【０１１６】
〈各スタッカの設定〉
以上の説明では、第１及び第２結束スタッカ４Ａ，４Ｂには、所定の金種であって正券の紙幣が集積され、第１非結束スタッカ５Ａには、所定の金種であって損券の紙幣が集積され、第２非結束スタッカ５Ｂには、所定の金種以外の金種の紙幣が集積される。
【０１１７】
しかしながら、紙幣処理装置１００は、第１及び第２結束スタッカ４Ａ，４Ｂ並びに第１及び第２非結束スタッカ５Ａ，５Ｂに集積する紙幣を適宜設定することができる。スタッカに集積する紙幣の組合せの例を図５に示す。図５において、紙幣の内容が記載されていないスタッカは、任意の紙幣を設定することができる。また、第１結束スタッカ４Ａと第２結束スタッカ４Ｂとで集積する紙幣を入れ替えてもよい。同様に、第１非結束スタッカ５Ａと第２非結束スタッカ５Ｂとで集積する紙幣を入れ替えてもよい。尚、図５は、例示であり、これ以外の組合せもあり得る。
【０１１８】
パターン１は、前述の連続結束処理における組合せである。
【０１１９】
パターン２では、第１及び第２結束スタッカ４Ａ，４Ｂに、所定の金種の紙幣を集積し、第２非結束スタッカ５Ｂに、所定の金種以外の金種の紙幣を集積する。ここで、第１及び第２結束スタッカ４Ａ，４Ｂは、所定の金種の紙幣を集積する限りは、その他に条件が付加されても、付加されなくてもよい。例えば、正損レベル、紙幣の向き、新券／旧券等の区別のない所定の金種の紙幣を第１及び第２結束スタッカ４Ａ，４Ｂの両方に集積してもよい。また、正損レベル、紙幣の向き、新券／旧券等の少なくとも１つに関する条件が付加された所定の金種の紙幣を第１及び第２結束スタッカ４Ａ，４Ｂの両方に集積してもよい。さらにまた、所定の金種の紙幣を正損レベル、紙幣の向き、新券／旧券等で２つに分類して、第１及び第２結束スタッカ４Ａ，４Ｂのそれぞれに異なる属性の紙幣を集積してもよい。また、第１非結束スタッカ５Ａに集積する紙幣は、適宜設定することができる。尚、パターン１は、パターン２の一態様である。
【０１２０】
パターン３では、第１及び第２結束スタッカ４Ａ，４Ｂに、所定の金種であった正券の紙幣を集積し、第１非結束スタッカ５Ａに、所定の金種であって損券の紙幣を集積する。ここで、第１及び第２結束スタッカ４Ａ，４Ｂは、所定の金種の紙幣を集積する限りは、その他に条件が付加されても、付加されなくてもよい。また、第１結束スタッカ４Ａと第２結束スタッカ４Ｂとで、同じ属性の紙幣を集積してもよいし、異なる属性の紙幣を集積してもよい。尚、パターン１は、パターン３の一態様である。
【０１２１】
パターン３−Ａは、パターン３の一態様である。パターン３−Ａでは、第１及び第２結束スタッカ４Ａ，４Ｂにおいて、所定の金種の正券がさらに別の属性で分類される。第１結束スタッカ４Ａに集積される紙幣は、所定の金種の正券のうち表面が上向きの紙幣であり、第２結束スタッカ４Ｂに集積される紙幣は、所定の金種の正券のうち裏面が上向きの紙幣である。
【０１２２】
パターン３−Ｂは、パターン３の一態様である。パターン３−Ｂでは、第１及び第２結束スタッカ４Ａ，４Ｂにおいて、正券が正損レベルに関しさらに詳細に分類される。詳しくは、正券が、正券レベル１（ATM）と正券レベル２（TELLER）とに２段階に分類される。正券レベル１は、正券のうちＡＴＭに適用できるレベルであり、正券レベル２は、正券のうちＡＴＭに適用できるレベルにないレベルである。つまり、正損レベルを３段階に分類すると、正券レベル１と正券レベル２と損券に分類される。この場合には、正券レベル１が第１レベルに相当し、正券レベル２が第２レベルに相当し、損券が第３レベルに相当する。尚、正損レベルを２段階に分類すると、正券（FIT）と損券（UNFIT）に分類される。この場合には、正券が第１レベルに相当し、損券が第２レベルに相当する。パターン３−Ｂでは、第１結束スタッカ４Ａに集積される紙幣は、所定の金種の正券のうち正券レベル１の紙幣であり、第２結束スタッカ４Ｂに集積される紙幣は、所定の金種の正券のうち正券レベル２の紙幣である。
【０１２３】
パターン３−Ｃは、パターン３の一態様である。パターン３−Ｃでは、パタン３−Ｂと比べて、第１結束スタッカ４Ａ、第２結束スタッカ４Ｂ及び第１非結束スタッカ５Ａに集積される紙幣にさらなる属性が追加されている。すなわち、第１結束スタッカ４Ａ、第２結束スタッカ４Ｂ及び第１非結束スタッカ５Ａに集積される紙幣の共通の属性は、所定の金種であることと、新券及び旧券のうちの一方であることである。新券及び旧券の何れの紙幣を集積するかは、適宜設定することができる。
【０１２４】
パターン４では、第１及び第２結束スタッカ４Ａ，４Ｂに、所定の金種であって且つ表面及び裏面の一方が上向きの紙幣を集積し、第１非結束スタッカ５Ａに、所定の金種であって且つ表面又は裏面の他方が上向きの紙幣を集積し、第２非結束スタッカ５Ｂに、所定の金種以外の金種の紙幣を集積する。第１及び第２結束スタッカ４Ａ，４Ｂと第１非結束スタッカ５Ａとで、何れに表面の紙幣を集積し、何れに裏面の紙幣を集積するかは適宜設定することができる。
【０１２５】
パターン４−Ａは、パターン４の一態様である。パターン４−Ａでは、第１及び第２結束スタッカ４Ａ，４Ｂにおいて、所定の金種であって且つ表面及び裏面の一方が上向きの紙幣がさらに別の属性で分類される。具体的には、第１結束スタッカ４Ａに集積される紙幣は、所定の金種であって且つ表面及び裏面の一方が上向きの紙幣のうち、紙幣の印刷の向き（即ち、紙幣に印刷された文字や人の上下の向き）が搬送方向と一致する紙幣（図５では「前」と表示する。以下、このような状態を「印刷の向きが前向き」と表現する。）であり、第２結束スタッカ４Ｂに集積される紙幣は、所定の金種であって且つ表面及び裏面の一方が上向きの紙幣のうち、紙幣の印刷の向きが搬送方向と反対の紙幣（図５では「後」と表示する。以下、このような状態を「印刷の向きが後向き」と表現する。）である。
【０１２６】
パターン５では、第１及び第２結束スタッカ４Ａ，４Ｂに、所定の金種であって且つ表面及び裏面の一方が上向きの紙幣のうち印刷の向きが前向き及び後向きの一方の紙幣を集積し、第１非結束スタッカ５Ａに、所定の金種であって且つ表面及び裏面の一方が上向きの紙幣のうち印刷の向きが前向き及び後向きの他方の紙幣を集積し、第２非結束スタッカ５Ｂに、所定の金種であって且つ表面又は裏面の他方が上向きの紙幣を集積する。第１結束スタッカ４Ａ、第２結束スタッカ４Ｂ及び第１非結束スタッカ５Ａと第２非結束スタッカ５Ｂとで、何れに表面の紙幣を集積し、何れに裏面の紙幣を集積するかは適宜設定することができる。また、第１及び第２結束スタッカ４Ａ，４Ｂと第１非結束スタッカ５Ａとで、何れに前向きの紙幣を集積し、何れに後向きの紙幣を集積するかは適宜設定することができる。
【０１２７】
パターン６は、第２非結束スタッカ５Ｂに集積される紙幣の属性がパターン５と異なる。パターン６では、第１及び第２結束スタッカ４Ａ，４Ｂに、所定の金種であって且つ表面及び裏面の一方が上向きの紙幣のうち印刷の向きが前向き及び後向きの一方の紙幣を集積し、第１非結束スタッカ５Ａに、所定の金種であって且つ表面及び裏面の一方が上向きの紙幣のうち印刷の向きが前向き及び後向きの他方の紙幣を集積し、第２非結束スタッカ５Ｂに、所定の金種以外の金種の紙幣を集積する。
【０１２８】
パターン７は、所定の金種の紙幣を第１及び第２結束スタッカ４Ａ，４Ｂと第１非結束スタッカ５Ａとに分類するための属性がパターン４と異なる。パターン７では、第１及び第２結束スタッカ４Ａ，４Ｂに、所定の金種であって且つ新券及び旧券の一方の紙幣を集積し、第１非結束スタッカ５Ａに、所定の金種であって且つ新券及び旧券の他方の紙幣を集積し、第２非結束スタッカ５Ｂに、所定の金種以外の金種の紙幣を集積する。第１及び第２結束スタッカ４Ａ，４Ｂと第１非結束スタッカ５Ａとで、何れに新券の紙幣を集積し、何れに旧券の紙幣を集積するかは適宜設定することができる。
【０１２９】
パターン７−Ａは、パターン７の一態様である。パターン７−Ａでは、第１及び第２結束スタッカ４Ａ，４Ｂにおいて、所定の金種であって且つ新券及び旧券の一方の紙幣がさらに別の属性で分類される。具体的には、第１結束スタッカ４Ａに集積される紙幣は、所定の金種であって且つ新券及び旧券の一方の紙幣のうち正券の紙幣であり、第２結束スタッカ４Ｂに集積される紙幣は、所定の金種であって且つ新券及び旧券の一方の紙幣のうち損券の紙幣である。
【０１３０】
パターン７−Ｂは、パターン７の一態様である。パターン７−Ｂでは、第１及び第２結束スタッカ４Ａ，４Ｂにおいて、所定の金種であって且つ新券及び旧券の一方の紙幣がパターン７−Ａと異なる属性で分類される。具体的には、第１結束スタッカ４Ａに集積される紙幣は、所定の金種であって且つ新券及び旧券の一方の紙幣のうち表面が上向きの紙幣であり、第２結束スタッカ４Ｂに集積される紙幣は、所定の金種であって且つ新券及び旧券の一方の紙幣のうち裏面が上向きの紙幣である。
【０１３１】
パターン８では、第１結束スタッカ４Ａに、第１金種の紙幣を集積し、第２結束スタッカ４Ｂに、第２金種の紙幣を集積する。
【０１３２】
このように、第１及び第２結束スタッカ４Ａ，４Ｂ並びに第１及び第２非結束スタッカ５Ａ，５Ｂには、集積すべき紙幣として様々な属性の紙幣を設定することができる。
【０１３３】
〈タッチパネルの表示〉
図６に、タッチパネル１７の表示画面を示す。
【０１３４】
タッチパネル１７には、紙幣処理装置１００の概略図１３と、集積される紙幣に関する情報を示す表１４と、概略図１３中のスタッカと表１４中の紙幣との対応関係を示す連結線１５と、操作部１６とが表示されている。
【０１３５】
概略図１３には、第１結束スタッカ４Ａ、第２結束スタッカ４Ｂ、第１非結束スタッカ５Ａ及び第２非結束スタッカ５Ｂが含まれている。
【０１３６】
対応表１４には、集積される紙幣に関する情報として、紙幣の属性と集積量とが表示されている。紙幣の属性には、金種、正損レベル、紙幣の向き、新券／旧券が含まれる。紙幣の集積量には、束数、枚数が含まれる。尚、対応表１４に表示される情報はこれらに限定されるものではない。
【０１３７】
詳しくは、金種は、「DENOMI」の列に表示されている。金種としては、１００元、５０元、２０元、１０元、５元、２元、１元、その他（OTHERS）、区別なし（MIX）を設定することができる。MIXは、金種を区別しないことを意味する。
【０１３８】
正損レベルは、「FIT」の列に表示されている。正損レベルとしては、正券（FIT）、正券レベル１（ATM）、正券レベル２（TELLER）、損券（UNFIT）を設定することができる。
【０１３９】
紙幣の向きは、「DRCIN」の列に表示されている。紙幣の向きとしては、表面が上向き（FACE）、裏面が上向き（BACK）、表面が上向きで且つ印刷の向きが前向き（A）、表面が上向きで且つ印刷の向きが後向き（B）、裏面が上向きで且つ紙幣の印刷の向きが後向き（C）、裏面が上向きで且つ紙幣の印刷の向きが前向き（D）、及び区別なし（MIX）を設定することができる。FACEは、AとBを含む。BACKは、CとDを含む。
【０１４０】
新券／旧券は、「Ver」の列に表示されている。新券／旧券の種別としては、新券（NEW）、旧券(OLD)及び区別なし（MIX）を設定することができる。
【０１４１】
束数は、「BATCH」の列に表示される。集積された紙幣が所定枚数に達し、１束として処理された束数を示している。前記連続結束処理においては、第１結束スタッカ４Ａ及び第２結束スタッカ４Ｂに集積される紙幣のみが結束されるので、第１結束スタッカ４Ａ及び第２結束スタッカ４Ｂに集積される紙幣のみが束数を計数される。尚、紙幣処理装置１００は、紙幣を設定された条件に基づいて分類して、分類した紙幣を対応するスタッカに所定枚数ごとに集積する分割処理を行う場合がある。分割処理においては、スタッカに集積された紙幣が所定枚数に達すると、該紙幣は結束されることなく貯留され、オペレータに取り出される。紙幣が取り出されると、スタッカへの対応する紙幣の集積が再開される。このような分割処理においては、第１結束スタッカ４Ａ及び第２結束スタッカ４Ｂだけでなく、第１非結束スタッカ５Ａ及び第２非結束スタッカ５Ｂにおいても、紙幣が束として処理される。そのため、分割処理においては、それらの全てのスタッカに集積される紙幣の束数が計数される。
【０１４２】
枚数は、「PCS」の列に表示されている。連続結束処理においては、第１及び第２結束スタッカ４Ａ，４Ｂの何れか一方にしか紙幣は集積されないので、他方における枚数は「０」となっている。
【０１４３】
連結線１５は、概略図１３のスタッカと表１４の紙幣とを連結している。詳しくは、第１連結線１５ａは、概略図１３中の第１結束スタッカ４Ａと表１４の第２行とを連結している。第２連結線１５ｂは、概略図１３中の第１結束スタッカ４Ｂと表１４の第３行とを連結している。第３連結線１５ｃは、概略図１３中の第２非結束スタッカ５Ａと表１４の第４行とを連結している。第４連結線１５ｄは、概略図１３中の第２非結束スタッカ５Ｂと表１４の第５行とを連結している。
【０１４４】
操作部１６は、表示部１７の上部に設けられた上側操作部１６Ａと、表示部１７の下部に設けられた下側操作部１６Ｂとを含んでいる。上側操作部１６Ａは、主に、紙幣処理装置１００の結束処理に関する操作を行うための操作部であり、操作に対応した複数のボタンが含まれている。下側操作部１６Ｂは、主に、表示部１７に関する操作や、紙幣処理装置１００の設定に関する操作を行うための操作部であり、操作に対応した複数のボタンが含まれている。
【０１４５】
尚、表示画面には、合計金額、合計束数、総枚数等も表示されている。
【０１４６】
このような表示部１７の表示画面によれば、紙幣処理装置１００の概略図１３のスタッカと表１４の紙幣の内容とが連結線１５で連結されているので、紙幣処理装置１００の各スタッカに集積された紙幣の内容を視覚的に容易に把握することができる。例えば、第１結束スタッカ４Ａには、紙幣の向き及び新券／旧券の区別の無い１００元の正券が集積され、現在の集積枚数が０枚であり、既に処理された束数が２束であることがわかる。第２結束スタッカ４Ｂには、紙幣の向き及び新券／旧券の区別の無い１００元の正券が集積され、現在の集積枚数が３０枚であり、既に処理された束数が１束であることがわかる。第１非結束スタッカ５Ａには、紙幣の向き及び新券／旧券の区別の無い１００元の損券が集積され、現在の集積枚数が５０枚であることがわかる。第２非結束スタッカ５Ｂには、正損レベル、紙幣の向き及び新券／旧券の区別の無い１００元以外の紙幣が集積され、現在の集積枚数が２５枚であることがわかる。
【０１４７】
〈効果〉
前記紙幣処理装置１００は、紙幣を１枚ずつ取り込む取込口２４と、前記取込口２４から取り込まれた紙幣を搬送する前段搬送部７及び後段搬送部８と、前記取込口２４から取り込まれた紙幣を識別する識別部３と、前記識別部３により結束対象と識別された紙幣を集積する結束スタッカ４と、前記識別部３により結束対象ではないと識別された紙幣を集積する非結束スタッカ５と、前記結束スタッカ４に集積された紙幣を結束する結束部９と、前記結束部９により結束された紙幣束を投出する投出口１０１とを備え、前記結束スタッカ４は、２つだけ設けられ、前記非結束スタッカ５は、２つだけ設けられている。
【０１４８】
前記の構成によれば、結束スタッカ４が２つだけ設けられ、非結束スタッカ５が２つだけ設けられているので、結束スタッカ４及び非結束スタッカ５の個数が制限され、紙幣処理装置１００をコンパクトに構成することができる。また、結束スタッカ４が２つ設けられているので、結束対象の紙幣をまず一方の結束スタッカ４に集積し、紙幣が所定枚数に達すると、該紙幣の結束処理を開始すると共に、他方の結束スタッカ４を用いて結束対象の紙幣の集積を継続し、他方の結束スタッカ４の紙幣が所定枚数に達すると、該紙幣の結束処理を開始するという連続結束処理を行うことができる。あるいは、結束スタッカ４が２つ設けられているので、結束対象の紙幣をさらに２つに分類して、属性が異なる紙幣を別々に集積して結束することができる。さらに、非結束スタッカ５が２つ設けられているので、結束対象でない紙幣についても、さらに２つに分類して、属性が異なる紙幣を別々に集積することができる。このように、紙幣を効率良く処理することができる。
【０１４９】
また、紙幣処理装置１００は、前記結束スタッカ４，４及び非結束スタッカ５，５の場所と、該結束スタッカ４，４及び非結束スタッカ５，５に集積される紙幣の情報とを表示するタッチパネル１７をさらに備えている。
【０１５０】
前記の構成によれば、紙幣処理装置１００において、どのような紙幣がどこに集積されているかを容易に把握することができる。
【０１５１】
さらに、前記結束スタッカ４，４及び非結束スタッカ５，５には、集積された紙幣を外部に取り出すための取出口４６，５３が設けられ、前記結束スタッカ４の第１取出口４６には、該結束スタッカ４ごとに個別に開閉可能な扉４３が設けられ、前記非結束スタッカ５の第２取出口５３は、扉が設けられておらず、開放されている。
【０１５２】
前記の構成によれば、結束スタッカ４，４及び非結束スタッカ５，５に集積された紙幣を取出口４６，５３を介して取り出すことができる。また、結束スタッカ４の第１取出口４６に扉４３を設けることによって、紙幣が第１取出口４６から不必要に飛び出すことを防止することができる。また、非結束スタッカ５の第２取出口５３には開閉部が設けられていないので、非結束スタッカ５に集積された紙幣を簡単に取り出すことができる。
【０１５３】
さらに、紙幣処理装置１００は、前記識別部３によりリジェクトすべきと識別された紙幣を集積するリジェクトスタッカ６をさらに備えている。
【０１５４】
前記の構成によれば、２つの結束スタッカ４，４及び２つの非結束スタッカ５，５に加えて、リジェクトスタッカ６が設けられる。つまり、さらにリジェクト紙幣を分類して集積することができる。
【０１５５】
また、効率的な処理を行うための、結束スタッカ４，４及び非結束スタッカ５，５に集積させる紙幣の組合せとしては、以下のような例がある。
【０１５６】
例えば、２つの前記結束スタッカ４，４は両方とも、前記識別部３により所定の金種であると識別された紙幣を集積するものであり、２つの前記非結束スタッカ５，５の一方は、前記識別部３により前記所定の金種以外の金種であると識別された紙幣を集積する。
【０１５７】
さらに、前記識別部３は、紙幣を正損に関して正券及び損券の２種類に識別し、２つの前記結束スタッカ４，４は両方とも、前記識別部３により所定の金種であって且つ正券であると識別された紙幣を集積するものであり、２つの前記非結束スタッカ５，５の一方は、前記識別部３により前記所定の金種であって且つ損券であると識別された紙幣を集積する。
【０１５８】
この構成を前提に、２つの結束スタッカ４，４の一方は、前記識別部３により前記所定の金種であって且つ正券であると識別された紙幣のうち表面が上向きの紙幣を集積し、２つの結束スタッカ４，４の他方は、前記識別部３により前記所定の金種であって且つ正券であると識別された紙幣のうち裏面が上向きの紙幣を集積するようにしてもよい。
【０１５９】
また、前記識別部３は、紙幣を正損に関して正券レベル１、正券レベル２及び損券の３種類に識別し、２つの結束スタッカ４，４の一方は、前記識別部３により所定の金種であって且つ前記正券レベル１であると識別された紙幣を集積し、２つの結束スタッカ４，４の他方は、前記識別部３により前記所定の金種であって且つ前記正券レベル２であると識別された紙幣を集積し、２つの非結束スタッカ５，５の一方は、前記識別部３により前記所定の金種であって且つ損券であると識別された紙幣を集積するようにしてもよい。
【０１６０】
また、２つの結束スタッカ４，４は両方とも、前記識別部３により所定の金種であって且つ表面及び裏面の一方が上を向いていると識別された紙幣を集積し、２つの非結束スタッカ５，５の一方は、前記識別部３により前記所定の金種であって且つ表面及び裏面の他方が上を向いていると識別された紙幣を集積し、２つの非結束スタッカ５，５の他方は、前記識別部３により前記所定の金種以外の金種であると識別された紙幣を集積するようにしてもよい。
【０１６１】
この構成を前提に、２つの結束スタッカ４，４の一方は、前記識別部３により前記所定の金種であって且つ表面及び裏面の一方が上を向いていると識別された紙幣のうち紙幣の印刷の向きが前向きと識別された紙幣を集積し、２つの結束スタッカ４，４の他方は、前記識別部３により前記所定の金種であって且つ表面及び裏面の一方が上を向いていると識別された紙幣のうち紙幣の印刷の向きが後向きと識別された紙幣を集積するようにしてもよい。
【０１６２】
また、２つの結束スタッカ４，４は両方とも、前記識別部３により所定の金種であって且つ表面及び裏面の一方が上を向いていると識別された紙幣のうち紙幣の印刷の向きが前向きと識別された紙幣を集積し、２つの非結束スタッカ５，５の一方は、前記識別部３により前記所定の金種であって且つ表面及び裏面の一方が上を向いていると識別された紙幣のうち紙幣の印刷の向きが後向きと識別された紙幣を集積し、２つの非結束スタッカ５，５の他方は、前記識別部３により前記所定の金種であって且つ表面及び裏面の他方が上を向いていると識別された紙幣、又は前記識別部３により前記所定の金種以外の金種であると識別された紙幣を集積するようにしてもよい。
【０１６３】
また、２つの結束スタッカ４，４は両方とも、前記識別部３により所定の金種であって且つ新券及び旧券の一方であると識別された紙幣を集積し、２つの非結束スタッカ５，５の一方は、前記識別部３により前記所定の金種であって且つ新券及び旧券の他方であると識別された紙幣を集積し、２つの非結束スタッカ５，５の他方は、前記識別部３により前記所定の金種以外の金種であると識別された紙幣を集積するようにしてもよい。
【０１６４】
この構成を前提に、２つの結束スタッカ４，４の一方は、前記識別部３により前記所定の金種であって且つ新券及び旧券の一方であると識別された紙幣のうち正券であると識別された紙幣を集積し、２つの結束スタッカ４，４の他方は、前記識別部３により前記所定の金種であって且つ新券及び旧券の一方であると識別された紙幣のうち損券であると識別された紙幣を集積するようにしてもよい。
【０１６５】
あるいは、２つの結束スタッカ４，４の一方は、前記識別部３により前記所定の金種であって且つ新券及び旧券の一方であると識別された紙幣のうち表面が上向きの紙幣を集積し、２つの結束スタッカ４，４の他方は、前記識別部３により前記所定の金種であって且つ新券及び旧券の一方であると識別された紙幣のうち裏面が上向きの紙幣を集積するようにしてもよい。
【０１６６】
また、２つの結束スタッカ４，４の一方は、前記識別部３により所定の金種であって且つ新券及び旧券の一方であると識別された紙幣のうち正券レベル１であると識別された紙幣を集積し、２つの結束スタッカ４，４の他方は、前記識別部３により前記所定の金種であって且つ新券及び旧券の一方であると識別された紙幣のうち正券レベルで２あると識別された紙幣を集積し、２つの非結束スタッカ５，５の一方は、前記識別部３により前記所定の金種であって且つ新券及び旧券の一方であると識別された紙幣のうち損券であると識別された紙幣を集積するようにしてもよい。
【０１６７】
また、結束スタッカ４，４の一方は、前記識別部３により所定の第１金種であると識別された紙幣を集積し、結束スタッカ４，４の他方は、前記識別部３により所定の第２金種であると識別された紙幣を集積するようにしてもよい。
【０１６８】
《実施形態２》
次に、実施形態２に係る紙幣処理装置２００について説明する。図７は、紙幣処理装置２００の外観図を示し、図８は、紙幣処理装置２００の概略構成図を示す。
【０１６９】
紙幣処理装置２００は、リジェクトスタッカ２０６の構成、投出部２１０の構成、並びに表示部２１７及び入力部２１８の構成が紙幣処理装置１００と異なる。そこで、紙幣処理装置２００のうち、実施形態１と同様の構成については同様の符号を付して、説明を省略する。尚、紙幣処理装置１００と紙幣処理装置２００とで同様の機能を有する構成については、十の位及び一の位の符号を共通にする。
【０１７０】
詳しくは、リジェクトスタッカ２０６は、紙幣を集積する容器２６０と、搬送されてきた紙幣を容器２６０内へ搬入する羽根車２６１と、紙幣の有無を検知する集積センサ２６２とを有している。
【０１７１】
容器２６０の底部は、傾斜している。これにより、容器２６０へ搬入された紙幣は、底部の低い方の端部へ集まる。集積センサ２６２は、容器２６０の底部の低い方の端部に設けられている。集積センサ２６２は、紙幣センサ２５と同様の構成をしており、光が遮断されることによって容器２６０内の紙幣を検知する。集積センサ２６２は、容器２６０内の紙幣により光が遮断されるように配置されている。羽根車２６１は、前記羽根車５１と同様の構成をしており、複数の羽を有し、搬送されてきた紙幣を羽の間で保持して、容器２６０内へ搬入する。紙幣は、容器２６０の底部近傍において羽根車２６１の羽から離脱し、容器２６０内に集積される。
【０１７２】
容器２６０は、筐体１１の第１側面１１３には開口しておらず、第２側面１１４に開口している。すなわち、第２側面１１４には、リジェクトスタッカ２０６に集積された紙幣を筐体１１の外部に取り出すためのリジェクト取出口２６３が設けられている。リジェクト取出口２６３には、扉が設けられておらず、開放されている。
【０１７３】
投出部２１０は、結束紙幣が投出される投出口１０１と、投出口１０１から投出された結束紙幣が載置されるステージ２１０２と、結束紙幣の投出口１０１の通過を検知する通過センサ１０３と、ステージ２１０２上の結束紙幣を検知する紙幣センサ２１０４とを有している。
【０１７４】
ステージ２１０２は、上下に移動可能に構成され、駆動機構（図示省略）により上下に駆動される。
【０１７５】
紙幣センサ２１０４は、投出口１０１の直下に設けられており、ステージ２１０２上の紙幣が投出口１０１の直下に位置するか否かを検出している。紙幣センサ２１０４は、紙幣センサ２５と同様の構成をしている。ステージ２１０２は、その上に載置された結束紙幣が紙幣センサ２１０４に検知されない位置に位置するように制御されている。こうすることで、投出口１０１と同じ高さには結束紙幣が存在していないので、投出口１０１から投出される結束紙幣は、先にステージ２１０２上に載置された結束紙幣の上に順次載置されていく。
【０１７６】
紙幣処理装置２００では、前記タッチパネル１７の代わりに、紙幣処理装置２００への情報を入力する操作ボタン２１７と紙幣処理装置２００の情報を表示する液晶パネル２１８とが筐体１１の第２側面１１４に設けられている。詳しくは、操作ボタン２１７及び液晶パネル２１８は、第２非結束スタッカ５Ｂの第２取出口５３ｂの上方であって、第２結束スタッカ４Ｂの側方に設けられている。操作ボタン２１７は、各種のボタンで構成されている。操作ボタン２１７及び液晶パネル２１８は、紙幣処理装置２００を操作するオペレータに対するヒューマンインターフェース部分である。液晶パネル２１８は、表示部の一例である。
【０１７７】
このような紙幣処理装置２００においても、結束スタッカ４の第１取出口４６には、結束スタッカ４ごとに個別に開閉可能な扉４３が設けられている。また、結束スタッカ４のロック機構４７は、実施形態１と同様に制御される。
【０１７８】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７９】
前記実施形態について、以下のような構成としてもよい。
【０１８０】
前記実施形態では、リジェクトスタッカ６が設けられているが、省略してもよい。
【０１８１】
また、実施形態１では、取込口２４、投出口１０１及びリジェクト取出口６３が第１側面１１３に設けられ、第１取出口４６、第２取出口５３及びタッチパネル１７が第２側面１１４に設けられているが、これは例示に過ぎない。実施形態２では、取込口２４及び投出口１０１が第１側面１１３に設けられ、第１取出口４６、第２取出口５３、リジェクト取出口２６３、操作ボタン２１７及び液晶パネル２１８が第２側面１１４に設けられているが、これは例示に過ぎない。
【０１８２】
例えば、前記第１側面１１３に取込口２４が設けられ、第２側面１１４に投出口１０１が設けられていてもよい。逆に、第１側面１１３に投出口１０１が設けられ、第２側面１１４に取込口２４が設けられていてもよい。そのような構成に加えて、前記第１側面１１３に第１取出口４６及び第２取出口５３が設けられていてもよい。あるいは、前記第２側面１１４に第１取出口４６及び第２取出口５３が設けられていてもよい。あるいは、第１側面１１３に第１取出口４６が設けられ、第２側面１１４に第２取出口５３が設けられていてもよい。あるいは、第１側面１１３に第２取出口５３が設けられ、第２側面１１４に第１取出口４６が設けられていてもよい。
【０１８３】
取込口２４が第２側面１１４に設けられる場合には、ホッパ部２が非結束スタッカ５のように第２側面１１４に開口した状態で設けられる。また、投出口１０１が第２側面１１４に設けられる場合には、投出部１０が非結束スタッカ５のように第２側面１１４に開口した状態で設けられる。
【０１８４】
さらには、以上の説明では、取込口２４、投出口１０１、第１取出口４６及び第２取出口５３を第１側面１１３及び第２側面１１４に配置する場合に限定しているが、それ以外の部分に配置してもよい。つまり、取込口２４等を、筐体１１の上面１１１や、第１側面１１３と対向する側面や、第２側面１１４と対向する側面に配置してもよい。
【０１８５】
前記扉４３にはロック機構４７が設けられているが、ロック機構４７が省略されてもよい。その場合には、扉４３を自由に開閉することができる。そのため、扉４３を閉めておくべきタイミングで該扉４３が開かれたときには、制御部１２０は、実行中の処理を停止する。尚、扉４３を開けてもよいタイミングで該扉４３が開かれたときには、制御部１２０は、実行中の処理を継続する。
【０１８６】
前記扉４３は、所定の回転軸回りに単に回動するだけの構成であるが、この構成に限られるものではない。例えば、扉４３は、スライド式の扉であってもよい。さらに、扉４３を開く方向に付勢するバネを設け、ロック機構４７の解除状態において、扉４３を結束スタッカ４の内方へ一旦押すことによって扉４３の拘束が解かれ、バネの付勢力により扉４３が開く構成であってもよい。また、扉４３を開いた状態で保持する保持機構を設けてもよい。これにより、扉４３を開いた状態での紙幣の取り出し作業が容易になる。
【０１８７】
また、扉４３は、透明又は半透明な材料で構成されているが、これに限られるものではない。扉４３は、格子、スリット若しくは穴を有する構造又は網目構造等の、結束スタッカ４の内部が視認可能な構造であってもよい。尚、扉４３は、結束スタッカ４の内部が視認できない構造であってもよい。
【０１８８】
前記ストッパ４３ａは、扉４３と別体で構成され、扉４３に固定されているが、これに限られるものではない。ストッパ４３ａを扉４３と一体に形成してもよい。例えば、扉４３の内周面をストッパ４３ａとしてもよい。あるいは、扉４３の内周面に凸部を設けて、該凸部をストッパ４３ａとしてもよい。また、ストッパ４３ａは、透明又は半透明な材料で構成されているが、これに限られるものではない。ストッパ４３ａは、格子、スリット若しくは穴を有する構造又は網目構造等の、結束スタッカ４の内部が視認可能な構造であってもよい。尚、ストッパ４３ａは、結束スタッカ４の内部が視認できない構造であってもよい。
【０１８９】
非結束スタッカ５の第２取出口５３やリジェクトスタッカ６のリジェクト取出口６３に扉等の開閉部を設けてもよい。
【０１９０】
また、前記紙幣処理装置１００，２００は、複数の金種の紙幣が混在していたバラ状態の紙幣を処理しているが、これに限られるものではない。紙幣処理装置１００，２００は、所定の１種類の金種の紙幣を処理する構成であってもよい。
【産業上の利用可能性】
【０１９１】
以上説明したように、ここに開示された技術は、バラ状態の紙幣を取り込み、結束して投出する紙幣処理装置について有用である。
【符号の説明】
【０１９２】
１００，２００    紙幣処理装置
２４      取込口
３        識別部
４        結束スタッカ（第１集積部）
４３      扉（開閉部）
４６      第１取出口
５        非結束スタッカ（第２集積部）
５３      第２取出口
６，２０６        リジェクトスタッカ（リジェクト集積部）
６３，２６３      リジェクト取出口
７        前段搬送部（搬送部）
８        後段搬送部（搬送部）
９        結束部
１０１    投出口
１１      筐体
１１３    第１側面
１１４    第２側面
１７      タッチパネル（表示部）
２１７    操作ボタン
２１８    液晶パネル（表示部）
【図１】
2014148000.tif 000003
【図２】
2014148000.tif 000004
【図３】
2014148000.tif 000005
【図４】
2014148000.tif 000006
【図５】
2014148000.tif 000007
【図６】
2014148000.tif 000008
【図７】
2014148000.tif 000009
【図８】
2014148000.tif 000010
【国際調査報告】
2014148000.tif 000011
2014148000.tif 000012